(57)【特許請求の範囲】
【請求項１】
除湿剤が収容される有底筒状の内容器と、
該内容器の開口部に着脱自在に装着されるとともに、該内容器の内部と外部とを連通する吸入孔が形成された蓋体と、
前記内容器が収容される有底筒状の外容器と、を備え、
前記内容器の底部は、すり鉢状に形成されるとともに、容器軸方向に沿う縦断面視において下方に向けて突の円弧状を呈し、
前記内容器の底部のうち最下部を含む部分には、該内容器の内部と前記外容器の内部とを連通する排出孔が形成され、
前記内容器は、前記蓋体が前記外容器の開口部に係止されることにより、該外容器の底部から浮き上がった状態で前記外容器内に収容されていることを特徴とする除湿剤容器。
【請求項２】
前記排出孔は、前記内容器の底部の形状に沿って該内容器の容器軸方向に延在していることを特徴とする請求項１に記載の除湿剤容器。
【請求項３】
前記外容器には、前記内容器内から前記排出孔を通して流出して溜められた液状物の水位が到達したときに前記内容器の交換時期であることを示す印部が形成されていることを特徴とする請求項１又は２に記載の除湿剤容器。
【発明の詳細な説明】
【技術分野】
【０００１】
本発明は、除湿剤容器に関する。
【背景技術】
【０００２】
中空状の外容器と、該外容器の開口部に周縁部が固着されるとともに、上面側に除湿剤を載置可能な伸縮性・通水性を有する平板状の受け部材とを備え、該受け部材は、除湿剤を載置していない状態では前記外容器の口部に平板状をなして、除湿剤を載置した状態ではその重みで伸びて袋状をなしつつ前記外容器内に進入し、載置された除湿剤の量に応じて受け部材を伸縮させることで除湿剤の表面と外容器の開口部との距離を一定に保つ除湿剤容器が従来から知られている（特許文献１参照）。この容器は、上記受け部材に除湿剤を補充することで連続使用が可能となる。
【先行技術文献】
【特許文献】
【０００３】
【特許文献１】実用新案登録第２６０２６０２号公報
【発明の概要】
【発明が解決しようとする課題】
【０００４】
しかしながら、上記従来の容器の除湿剤の交換作業は、別途保管してある除湿剤をユーザが適時において適量補充するものであり、タイミングや補充する量を把握し難く、交換時の作業効率に改善の余地がある。
【０００５】
本発明は係る実情に鑑みてなされたものであり、除湿剤を収容する容器であって、除湿剤を交換する際の交換作業を効率良く行うことができる除湿剤容器を提供することを目的とする。
【課題を解決するための手段】
【０００６】
上記課題の解決手段として、本発明は、以下の手段を提供する。
本発明は、除湿剤が収容される有底筒状の内容器と、該内容器の開口部に着脱自在に装着されるとともに、該内容器の内部と外部とを連通する吸入孔が形成された蓋体と、前記内容器が収容される有底筒状の外容器と、を備え、前記内容器の底部は、すり鉢状に形成されるとともに、容器軸方向に沿う縦断面視において下方に向けて突の円弧状を呈し、前記内容器の底部のうち最下部を含む部分には、該内容器の内部と前記外容器の内部とを連通する排出孔が形成され、前記内容器は、前記蓋体が前記外容器の開口部に係止されることにより、該外容器の底部から浮き上がった状態で前記外容器内に収容されていることを特徴とする除湿剤容器を提供する。
【０００７】
この除湿剤容器では、外気が蓋体の吸入孔を通して内容器内に進入して除湿剤に反応することで、除湿剤が外気中の水分を吸収して液状化し、この液状化した液状物が排出孔を通して外容器内に流出する。そして、内容器内の除湿剤の除湿能力が低下したときに、蓋体の外容器の開口部への係止を解除して内容器ごと外容器から取り外した後に、外容器内の液状物を排出し、かつ蓋体から古い内容器を取り外し、その後、新たな内容器を蓋体に装着した状態で蓋体を外容器の開口部に係止することで、この内容器を外容器内に収容することができる。したがって、除湿剤を交換する際、除湿剤が収容されている内容器だけを交換するだけでよいので、交換作業を効率良く行うことができる。しかも、除湿剤容器のうち、内容器だけを新たなものに交換し、蓋体及び外容器は同じものを使用すればよいので、廃棄するゴミの量も抑えることが可能となる。
【０００８】
上記除湿剤容器では、前記排出孔は、前記内容器の底部の形状に沿って該内容器の容器軸方向に延在していることが好ましい。
【０００９】
この場合、蓋体の吸入孔を通して内容器内に溜まる液状物を、内容器の底部に集め易くして、排出孔を通して外容器内に流出させ易くすることができる。
【００１０】
また、上記除湿剤容器では、前記外容器には、前記内容器内から前記排出孔を通して流出して溜められた液状物の水位が到達したときに前記内容器の交換時期であることを示す印部が形成されていることが好ましい。
【００１１】
この場合、除湿剤の交換時期を簡易な構成で確実に示すことができる。
【発明の効果】
【００１２】
本発明に係る除湿剤容器によれば、除湿剤を交換する際の交換作業を効率良く行うことができる。
【図面の簡単な説明】
【００１３】
【図１】本発明の実施形態に係る除湿剤容器の斜視図である。
【図２】上記除湿剤容器の分解斜視図である。
【図３】上記除湿剤容器の縦断面図である。
【図４】上記除湿剤容器を構成する内容器の包装状態の一例を示す図である。
【図５】上記除湿剤容器を構成する内容器の包装状態の一例を示す図である。
【発明を実施するための形態】
【００１４】
以下、図面を参照し、本発明の一実施形態に係る除湿剤容器１を説明する。
【００１５】
図１乃至図３に示す本実施形態の除湿剤容器１は、除湿剤ｄが収容される有底筒状の内容器２と、この内容器２の開口部３に着脱自在に装着されるとともに、この内容器２の内部と外部とを連通する複数の吸入孔４・・・が形成された蓋体５と、内容器２が収容される有底筒状の外容器６と、を備えている。
除湿剤ｄは塩化カルシウム等であり、外気と反応することで外気中の水分を吸収し液状化する薬剤である。なお、内容器２、蓋体５及び外容器６それぞれの中心軸は共通軸上に位置している。以下、この共通軸を容器軸線Ｌ１といい、この容器軸線Ｌ１方向に沿って蓋体５側を上側、外容器６の底部６Ａ側を下側という。また、容器軸線Ｌ１に直交する方向を径方向、容器軸線Ｌ１の周回方向を周方向という。
【００１６】
蓋体５は、吸入孔４・・・が形成される天板部７と、この天板部７の外周縁から下方に延びる周壁部８と、周壁部８よりも径方向の内側において天板部７から下方に延びる係止筒部９と、を有しており、係止筒部９が内容器２の開口部３に着脱自在に外嵌されている。内容器２には、径方向の外側に突出して上面が係止筒部９の下端に当接するフランジ部２Ａが一体に形成されている。このフランジ部２Ａは、蓋体５の内容器２への装着時に、蓋体５の内容器２に対する容器軸線Ｌ１方向の位置を決めている。
【００１７】
また、蓋体５は、周壁部８の下端部が外容器６の開口部１０に着脱自在に外嵌され、内容器２は、外容器６の底部６Ａから浮き上がった状態で外容器６内に収容されている。ここで、外容器６の開口部１０の外周面には、径方向の内側に向けてくぼみ、かつ上方に向けて開口する周溝が全周にわたって連続して形成されている。そして、この周溝を構成する壁面のうち上方を向く下壁面１０Ａに、蓋体５の周壁部８の下端部が当接している。これにより、内容器２及び蓋体５の外容器６への装着時における内容器２及び蓋体５の外容器６に対する容器軸線Ｌ１方向の位置が決められ、内容器２が外容器６の底部６Ａから浮き上がった状態とされる。
【００１８】
内容器２、蓋体５、及び外容器６はそれぞれ例えばポリプロピレン、ポリエチレンテレフタレート等の合成樹脂材料で形成され、本実施形態においては、少なくとも外容器６は内部が視認可能な透明又は半透明に構成され、外容器６の外側から外容器６の内部、及び外容器６の底部６Ａから浮き上がった状態の内容器２の底部側が視認できるようになっている。なお、内容器２及び蓋体５が着色される場合には除湿剤ｄは外側から視認不可であり、内容器２は外容器６の底部６Ａから浮き上がった状態で保持され、この除湿剤容器１は外観的に雑然さが無く意匠的に優れたものになる。
【００１９】
ここで、蓋体５の天板部７は、径方向の内側に向かうに従い漸次下方に向けて延びる傾斜部１２と、この傾斜部１２の下端縁に連なり、容器軸線Ｌ１に直交する平面部１１と、を備え、平面部１１には、吸入孔４・・・が形成されている。上記係止筒部９は、傾斜部１２の下面に下方に向けて延設され、平面部１１に形成される吸入孔４・・・は、周方向に一定間隔を隔てて複数形成されるとともに、径方向において複数並んで形成されている。
【００２０】
また、内容器２の底部２Ｂはすり鉢状に形成され、この底部２Ｂには、内容器２の内部と外容器６の内部とを連通する複数の排出孔１３・・・が形成されている。これら排出孔１３・・・は、内容器２の底部２Ｂの形状に沿って容器軸線Ｌ１方向に延在し、底部２Ｂの最下部から内容器２の容器軸線Ｌ１方向略中央領域に至っている。
【００２１】
また、外容器６の外周部には、所定の高さ位置において径方向の内側に凹む印部１４が形成されている。この印部１４は、外容器６の外周部の周方向全域に跨る環状に形成され、外容器６に貯留される液状体（水溶液）の水位が到達したときに内容器２の交換時期を示す指標として機能する。
【００２２】
以上に記載した本実施形態の除湿剤容器１では、外気が蓋体５の吸入孔４・・・を通して内容器２内に進入して除湿剤ｄに反応することで、除湿剤ｄが外気中の水分を吸収して液状化し、この液状化した液状物が排出孔１３・・・を通して外容器６内に流出する。
そして、内容器２内の除湿剤ｄの除湿能力が低下したときに、蓋体５の外容器６の開口部１０への係止を解除して内容器２ごと外容器６から取り外した後に、外容器６内の液状物を排出し、かつ蓋体５から古い内容器２を取り外し、その後、新たな内容器２を蓋体５に装着した状態で蓋体５を外容器６の開口部１０に係止することで、この内容器２を外容器６内に収容することができる。
したがって、除湿剤ｄを交換する際、除湿剤ｄが収容されている内容器２だけを交換するだけでよいので、交換作業を効率良く行うことができる。しかも、除湿剤容器１のうち、内容器２だけを新たなものに交換し、蓋体５及び外容器６は同じものを使用すればよいので、廃棄するゴミの量も抑えることが可能となる。
【００２３】
また、本実施形態の除湿剤容器１では、内容器２の底部２Ｂがすり鉢状に形成され、排出孔１３・・・は、内容器２の底部２Ｂの形状に沿って容器軸方向に延在しているが、この場合、蓋体５の吸入孔４を通して内容器２内に溜まる液状物を、内容器２の底部２Ｂに集め易くして、排出孔１３・・・を通して外容器６内に流出させ易くすることができる。
【００２４】
さらに、本実施形態の除湿剤容器１では、外容器６には、内容器２内から排出孔１３・・・を通して流出して溜められた液状物の水位が到達したときに除湿剤ｄの交換時期であることを示す印部１４が形成されている。この場合、除湿剤ｄの交換時期を簡易な構成で確実に示すことができる。
【００２５】
ここで、上記内容器２は単体で製造・販売され、交換に供されるものであり、図４、図５には、交換用に製造された除湿剤入りの内容器２の包装例が示されている。
図４の例では、有底筒状のカップ状容器２０に内容器２が収容されている。カップ状容器２０は、開口部２１と、開口部２１より小径に形成されるとともに、開口部２１の下端から下方に向けて延在し、底部２２を有する基体周壁部２３と、開口部２１の上端に径方向の外側に向けて突設され、全周にわたって連続して延在するフランジ部２４と、を備えている。
フランジ部２４には、液体、気体が透過不能な例えばアルミ箔等からなるシート部材２５が剥離可能に固着され、カップ状容器２０内は気密に保持され、開口部２１と基体周壁部２３との間の段差部２６上にフランジ部２Ａが当接した状態で、内容器２がカップ状容器２０内に収容されている。カップ状容器２０の底部２２は上げ底状に形成されており、この底部２２は、内容器２の底部２Ｂのすり鉢状に沿う円弧面に形成されている。
このような態様では、シート部材２５を剥離させて内容器２を取り出して用いることができる。
【００２６】
一方、図５の例では、有底筒状のカップ状容器２０は図４の例のものと同一であり、カップ状容器２０の開口部２１には、シート成形又はインジェクション成形などにより形成された蓋部材２７が、内容器２及びカップ状容器２０に対して離脱可能に固着されている。蓋部材２７は、内容器２の開口部３内に着脱自在に嵌合された有底筒状の蓋本体２８と、内容器２の開口部３の外周面とカップ状容器２０の開口部２１の内周面との間に設けられた径方向の隙間内に嵌合された２重筒状のシール筒２９と、シール筒２９の径方向の外側に配設され、カップ状容器２０のフランジ部２４の外周縁部に係合し、フランジ部２４に対する上方への移動が規制される係合筒３０と、を備えている。
シール筒２９と係合筒３０とは各々の上端がフランジ部２４の上方に載置された連結環板３１を介して連結されている。さらに、係合筒３０の下端にはつまみ突片３４が径方向の外側に向けて突設されている。また、シール筒２９は、内容器２の開口部３に外嵌された内筒３２と、カップ状容器２０の開口部２１の内周面に内嵌された外筒３３と、を備えている。
この態様では、カップ状容器２０に内容器２を収容した上で、蓋部材２７を一体化することで、内容器２をカップ状容器２０内で気密に保持する。この態様では、蓋部材２７をカップ状容器２０から離脱させて内容器２を取り出して用いる。
【００２７】
以上、本発明に係る除湿剤容器の実施形態について説明したが、本発明は上記した実施の形態に限定されるものではなく、その趣旨を逸脱しない範囲で適宜変更可能である。
【００２８】
例えば、上記実施形態では、印部１４を外容器６の外周部から凹ますことで形成したものであるが、着色や成型時に色付けする等により、印部を形成してもよい。また、シール等を貼着することで印部を構成してもよい。
【符号の説明】
【００２９】
１  除湿剤容器
２  内容器
３  開口部
４  吸入孔
５  蓋体
６  外容器
１０  開口部
１３  排出孔
１４  印部
【図１】
0005836038.tif 000002
【図２】
0005836038.tif 000003
【図３】
0005836038.tif 000004
【図４】
0005836038.tif 000005
【図５】
0005836038.tif 000006